(57)【要約】【課題】  本発明はLEDランプの放熱装置に関し特にLEDランプの放熱に使用される装置を指す。【解決手段】  本発明に係るLEDランプの放熱装置は中空状の放熱台座、アルミニアウム基板と複数のLEDランプからなっている。その内に、前記中空状の放熱台座はヒレ部、中空状収納部から構成され、且つ中空状収納部内に放熱バーを複数設置する。LEDランプがアルミニアウム基板に半田付けされると、さらに中空状の放熱台座の片側に貼り付け、中空状の放熱台座の中空状収納部に液体を注入し、LEDランプが点灯する際に、LEDランプがアルミニアウム基板に半田付けされるので、熱をアルミニアウム基板へ伝導すると共に、アルミニアウム基板は中空状の放熱台座に貼り付けられるので、熱を中空状の放熱台座の中空状収納部内の液体に伝導し、さらに中空状の放熱台座のヒレ部により放熱を行い素早く放熱効果を図ることができる。【選択図】  図３Ａ
2008276999.tif 000002
【特許請求の範囲】
【請求項１】
LEDランプ とアルミニアウム基板と中空状の放熱台座を少なくとも有するLEDランプの放熱装置であって、
前記中空状の放熱台座の片側にヒレ部を設置し、他方に液体をいっぱいに注入させて一体成形とした連続スペースのための中空状収納部を設置すると共に、中空状収納部内部に伝熱効果を高める放熱バーを複数設置することであって、LEDランプを半田付けしたアルミニアウム基板を中空状の放熱台座の片側にある中空状収納部の表面に貼り付け、中空状の放熱台座は必要に応じて各種の幾何形状になり、且つその底部に位置決め部を設置し、LEDランプの放熱装置を素早く位置決めし壁に固着することを特徴とするLEDランプの放熱装置。
【請求項２】
前記アルミニアウム基板は中空状の放熱台座と組み合せることによって各種の幾何形状に設置可能で、LEDランプの数と配置はアルミニアウム基板のサイズと外形によって増減させたり変化をさせたりできることを特徴とする請求項１に記載するLEDランプの放熱装置。
【発明の詳細な説明】
【技術分野】
【０００１】
本発明はLEDランプの放熱装置であって、特にLEDランプに使用される照明器具の放熱に一層便利な装置に関する。
【背景技術】
【０００２】
図１で示すように、従来のLEDランプＡ１０とアルミニウム基板Ａ２０とを結合し、LEDランプＡ１０を直接アルミニウム基板Ａ２０に半田付けして、アルミニウム基板
Ａ２０本体の素早い吸熱と放熱の特性を利用して放熱を行う方法を実際に行なうと以下の弊害がある。アルミニウム基板Ａ２０に半田付けされたLEDランプＡ１０の数量が多いと、アルミニウム基板Ａ２０本体が熱量を吸収したり放出したりする負担に耐えられないため、アルミニウム基板Ａ２０本体が過熱現象を起こし、またアルミニウム基板Ａ２０本体の放熱面積が固定されている関係上、LEDランプＡ１０の数量に従って面積を増減させて放熱速度を加速させることができない。
【０００３】
上記の放熱問題を改善するために、LEDランプＡ１０を半田付けしたアルミニウム基板Ａ２０を、図２で示すように、片面にニッケルメッキを施す方法で従来の放熱ヒレＡ３０と結合させる方法では、実際に行なうと下記の弊害がある。従来の放熱ヒレ
Ａ３０の放熱能力はアルミニウム基板Ａ２０で発生する熱量を素早く伝導することができないので、従来の放熱ヒレＡ３０のサイズを大きくすることで放熱効果が高められるが、容積が過大となるデメリットがあり、また、アルミニウム基板Ａ２０と従来の放熱ヒレＡ３０間はニッケルメッキで結合させていることから相当なコストの増大を招くのである。
【発明の開示】
【発明が解決しようとする課題】
【０００４】
本発明は「LEDランプの放熱装置」を提供し、当該設計により従来のLEDランプのアルミニウム基板上での放熱が思わしくない問題を改善し、中空状の放熱台座とアルミニウム基板を結合させて、中空状の放熱台座内の中空状収納部内に液体を注入することで、素早く放熱することを主な発明目的とする。
【課題を解決するための手段】
【０００５】
本発明が用いる技術方式はLEDランプの放熱装置を提供することであり、当該部品はLEDランプ、アルミニウム基板及び中空状の放熱台座からなり、その内前記中空状の放熱台座の片方にはヒレ部を設け、もう片方には中空状収納部を設け、中空状収納部には複数の放熱バーを設ける。LEDランプをアルミニウム基板に半田付けし、中空状の放熱台座の片方の中空状収納部の表面に貼り付けて中空状収納部に液体を注入する。LEDランプが点灯すると、LEDランプがアルミニウム基板に半田付けされているので、熱エネルギーをアルミニウム基板に伝導し、またアルミニウム基板は中空状の放熱台座の片方の中空状収納部の表面に貼り付けてあるので、熱エネルギーを中空状の放熱台座の中空状収納部内にある液体の中に伝導することができ、さらに中空状の放熱台座のヒレ部から発散させて、速やかに放熱効果を図ることができる。
【発明の効果】
【０００６】
前述の本発明に係るLEDランプの放熱装置は主に下記の効果を達成することができる。
【０００７】
１、放熱効率を高める。前記中空状の放熱台座の片方にのヒレ部を設けると放熱に便利であり、もう片方には中空状収納部を設けて一体成形の連続スペースとして素早く熱エネルギーを伝導するのに便利なように液体を入れるのに用い、また中空状収納部内には複数の放熱バーを設けると、中空状収納部と液体との接触面積を増やして素早い吸熱と放熱をするという目的を達成するのに有利である。
【０００８】
２、製造コストを下げる。従来の放熱ヒレ部とアルミニウム基板はニッケルメッキでなければ結合することができなかったが、前記中空状の放熱台座とアルミニウム基板の間は貼り付けさえすればよく、製造コストを効率的に抑えることが出来る。
【発明を実施するための最良の形態】
【０００９】
本発明の更なる詳細な外観と特徴を提示するために、図面とセットにしながら下記に説明する。
【００１０】
図３Ａ、３Ｂ、５で示すように、本発明によるLEDランプの放熱装置４０は、LEDランプ１０、アルミニウム基板２０及び中空状の放熱台座３０からなり、その内、前記中空状の放熱台座３０の片側には放熱に便利なようにヒレ部３２を設け、もう片方には中空状収納部３１を設けて一体成形の連続スペースとして素早く熱エネルギーを伝導するのに便利なように液体を入れるのに用い、また中空状収納部内３１に複数の放熱バー３１２を設けると、中空状収納部３１と液体との接触面積を増やして素早い吸熱と放熱をするという目的を達成するのに有利である。中空状の放熱台座３０は必要に応じて各種の幾何形状にすることができる。
【００１１】
図４、５で示すように、本発明を実行する際、LEDランプ１０をアルミニウム基板
２０に半田付けし、LEDランプ１０を半田付けしたアルミニウム基板２０を中空状の放熱台座３０の片側にある中空状収納部３１の表面３１１に貼り付けて中空状収納部
３１に液体を注入する。LEDランプ１０がアルミニウム基板２０に半田付けされ、LEDランプ１０の片側の熱源１１がアルミニウム基板２０に貼り付いているので、LEDランプ１０を点灯させると、その熱量は直接アルミニウム基板２０に伝わり、アルミニウム基板２０は中空状の放熱台座３０の片側にある中空状収納部３１の表面３１１に貼り付いているので、中空状収納部３１内に液体をいっぱいに注入すると、アルミニウム基板２０の熱量を液体を通して中空状の放熱台座３０の片側のヒレ部３２へ伝導させ、さらにヒレ部３２のヒレ３２１から熱量を発散させる。その内、中空状収納部
３１内に設けた複数の放熱バー３１２は中空状収納部３１と液体とが接触する面積を増やすと共に、伝熱効果をも高めることができる。
【００１２】
図６、７、８、９で示すように、本発明の別の実施例では中空状の放熱台座３０aの底に位置決め部３３を設けることで、LEDランプの放熱装置４０aは速やかに位置決めされて壁５０に固着し、また中空状収納部３１aとヒレ部３２aを幾何弧状面とすると、液体接触面積及び放熱面積が増加する。その内、アルミニウム基板２０aは中空状の放熱台座３０aと組み合わせて各種の幾何形状とすることができ、さらにLEDランプ１０の数量及び配置はアルミニウム基板２０aのサイズや外形によって増減させたり変化をさせたりできる。
【００１３】
図１０、１１で示すように、本発明のまた別の実施例では、中空状の放熱台座３０bはアルミニウム成型で製作しているので、中空状の放熱台座３０bの中空状収納部
３１bとヒレ部３２bの間の熱伝導を一層確実なものとし、中空状の放熱台座３０b左右両側に長状溝３４を設置して笠６０嵌め込むのに使用する。
【図面の簡単な説明】
【００１４】
【図１】従来のＬＥＤランプとアルミニウム基板の外観立体図である。
【図２】従来のＬＥＤランプを半田付けしたアルミニウム基板と従来の放熱ヒレの外観立体図である。
【図３Ａ】本発明の立体分解図である。
【図３Ｂ】本発明の部分拡大図である。
【図４】本発明の立体構成図である。
【図５】本発明の断面図である。
【図６】本発明における実施例の立体構成図（一）である。
【図７】本発明における実施例の断面図である。
【図８】本発明における実施例の立体透視図である。
【図９】本発明における実施例の立体構成図（二）である。
【図１０】本発明における別の実施例の立体構成図である。
【図１１】本発明における別の実施例の断面図である。
【符号の説明】
【００１５】
１０  LEDランプ
１１  熱源
２０  アルミニアウム基板
３０  中空状の放熱台座
３１  中空状収納部
３２  ヒレ部
３３  位置決め部
３１１  中空状収納部の表面
３１２  放熱バー
３２１  ヒレ
３４  長状溝
４０  LEDランプの放熱装置
５０  壁
６０  笠
【図１】
2008276999.tif 000003
【図２】
2008276999.tif 000004
【図３Ａ】
2008276999.tif 000005
【図３Ｂ】
2008276999.tif 000006
【図４】
2008276999.tif 000007
【図５】
2008276999.tif 000008
【図６】
2008276999.tif 000009
【図７】
2008276999.tif 000010
【図８】
2008276999.tif 000011
【図９】
2008276999.tif 000012
【図１０】
2008276999.tif 000013
【図１１】
2008276999.tif 000014